(57)【特許請求の範囲】
【請求項１】
暗時検出回路と、上記暗時検出回路の暗時検出に応じて時刻表示部を照明する第１の照明部を点灯させ、アラームがセットされた際に上記時刻表示部を照明する第２の照明部を点灯させるとともに上記第１の照明部の点灯を禁止する照明制御回路とを含むことを特徴とするアラーム時計。
【請求項２】
請求項１において、上記照明制御回路は、上記第１の照明部および／または上記第２の照明部の点灯を間欠駆動させることを特徴とするアラーム時計。
【請求項３】
請求項１または２において、上記第１の照明部と上記第２の照明部は、互いに異なる色で発光することを特徴とするアラーム時計。
【発明の詳細な説明】
【発明の技術分野】
本発明は、時刻表示部を照明可能なアラーム時計に関する。
【従来の技術】
従来、照明機能を具備した時計では、アラームがセットされたときや周囲が暗くなったときに照明を点灯させるものなどがある。また、アラームセットスイッチに夜光塗料が塗布されていて、アラームセット時にその部分が突出し確認できる構成となっているものなどもある。
【発明が解決しようとする課題】
上記のアラームがセットされたときに照明を点灯させるものでは、アラームをセットしない場合に夜間時刻を確認しづらくなる。また、周囲が暗くなったときに照明を点灯させるものでは、アラームセットをしたかどうかがわかりづらい。また、夜光塗料を用いてアラームセット状態を知らせるものでは、夜光塗料の特性に問題があった。具体的には、夜光塗料等は光量が小さいので、部屋の照明を消した直後は、使用者の目が暗闇に慣れていないので夜行塗料の光を判断しづらいという問題があった。
【課題を解決するための手段】
本発明は、暗時検出回路の暗時検出に応じて時刻表示部を照明する第１の照明部を点灯させ、アラームがセットされた際に上記時刻表示部を照明する第２の照明部を点灯させるとともに上記第１の照明部の点灯を禁止する照明制御回路を含んでいるので、第２の照明部が点灯しているか否かによりアラームがセットされているかどうかを確認でき、アラームがセットされていなくても暗くなると第１の照明部が点灯するので、暗くても時刻を簡単に確認できる。よって、アラームをセットしない場合に夜間時刻を確認しづらいという問題とアラームセットをしたかどうかがわかりづらいという問題と部屋の照明を消した直後にアラームセット状態を確認しにくいという問題を同時に解決できる。
上記照明制御回路が上記第１の照明部および／または上記第２の照明部の点灯を間欠駆動させると、上記と同様の課題を解決するとともに、照明による消費電流を低減できる。つまり、照明を点灯させる際、照明を常時駆動させる場合に生じる消費電流が大きくなるという問題を解決できる。
上記第１の照明部と第２の照明部を互いに異なる色で発光するようにすれば、第１の照明部が点灯しているのか第２の照明部が点灯しているのか簡単に判別できるようになる。よって、第１の照明部が点灯しているのか第２の照明部が点灯しているのかわかりづらい場合が生じるという問題を解決できる。
【発明の実施の形態】
本願の請求項１に係る発明は、暗時検出回路と、上記暗時検出回路の暗時検出に応じて時刻表示部を照明する第１の照明部を点灯させ、アラームがセットされた際に上記時刻表示部を照明する第２の照明部を点灯させるとともに上記第１の照明部の点灯を禁止する照明制御回路とを含んでいる。
本願の請求項２に係る発明は、請求項１において、上記照明制御回路は、上記第１の照明部および／または上記第２の照明部の点灯を間欠駆動させるものとする。
本願の請求項３に係る発明は、請求項１または２において、上記第１の照明部と上記第２の照明部を、互いに異なる色で発光するようにしている。
【実施例】
以下、本発明を図面に示す一実施例に基づき具体的に説明する。
図１において、暗時検出回路１は、ＣｄＳ等からなり周囲の明るさが所定レベル以下のときに検出信号出力端子１ａから検出信号“１”を出力する。暗時検出回路１の検出信号出力端子１ａは、トランジスタＴｒ１のベースおよびトランジスタＴｒ５のコレクタに接続してある。トランジスタＴｒ１のエミッタは電池２の低電位側に接続してあり、そのコレクタは抵抗３を介して電池２の高電位側に接続してあるとともに抵抗４を介してトランジスタＴｒ２のベースに接続してある。トランジスタＴｒ２のエミッタは電池２の高電位側に接続してあり、そのコレクタは抵抗５と第１の照明部としてのＬＥＤ１の直列回路を介して電池２の低電位側に接続してある。
アラームセットスイッチＳＷ１はアラームがセットされた際に閉成し、その一端は電池２の低電位側に接続してあり、その他端は抵抗６を介してトランジスタＴｒ３のベースに接続してあるとともに、抵抗７を介してトランジスタＴｒ４のベースに接続してある。トランジスタＴｒ３のエミッタは電池２の高電位側に接続してあり、そのコレクタは抵抗８と第２の照明部としてのＬＥＤ２の直列回路を介して電池２の低電位側に接続してある。
トランジスタＴｒ４のエミッタは電池２の高電位側に接続してあり、そのコレクタは抵抗９を介して電池２の低電位側に接続してあるとともに、抵抗１０を介してトランジスタＴｒ５のベースに接続してある。トランジスタＴｒ５のエミッタは電池２の低電位側に接続してある。時計部１１は現在時刻等を表示する。
図２は本例の正面図で、文字板１１ａと指針１１ｂを有する時刻表示部１１ｃを照明するためのＬＥＤ１とＬＥＤ２が図面上方と下方に設けてある。なお、本例では時刻表示部として指針等により時刻を表示するものとしたが、これに限らず、例えば７セグメント表示素子を用いたデジタル時刻表示部等を用いてもよく、適宜変更可能である。また、ＬＥＤ１とＬＥＤ２の設置位置も上記に限らず適宜変更可能である。トランジスタＴｒ１、Ｔｒ２、Ｔｒ３、Ｔｒ４、Ｔｒ５と抵抗３、４、５、６、７、８、９、１０およびアラームセットスイッチＳＷ１とで照明制御回路１００を構成する。
次に、動作を説明する。
アラームセットスイッチＳＷ１がセットされていない場合、トランジスタＴｒ３がオフとなるのでＬＥＤ２は点灯しない。このとき、トランジスタＴｒ４もオフとなるのでトランジスタＴｒ５もオフとなり、暗時検出回路１の検出信号出力端子１ａは電池２の低電位側と切断される。よって、アラームセットスイッチＳＷ１がセットされてない場合、暗時検出回路１の検出信号出力端子１ａに出力される検出信号はトランジスタＴｒ１のベースに印加される。
この状態、すなわちアラームセットスイッチＳＷ１がセットされてない状態で周囲が明るい場合、暗時検出回路１の検出信号出力端子１ａは“０”となり、この検出信号“０”がトランジスタＴｒ１のベースに印加されるので、トランジスタＴｒ１、Ｔｒ２がオフとなり、ＬＥＤ１は点灯しない。つまり、アラームセットスイッチＳＷ１がセットされてなく周囲が明るい場合、ＬＥＤ１とＬＥＤ２はともに点灯しない。
アラームセットスイッチＳＷ１がセットされていない状態で周囲の明るさが所定レベル以下になると、暗時検出回路１の検出信号出力端子１ａは“１”となり、トランジスタＴｒ１、Ｔｒ２がオンするので、ＬＥＤ１が点灯する。よって、図２に示したように時刻表示部１１ｃが図面上方から照明される。つまり、アラームセットスイッチＳＷ１がセットされてなく周囲が暗い場合、ＬＥＤ１は点灯するがＬＥＤ２は点灯しない。よって、アラームがセットされていなくてもＬＥＤ１の点灯により現在時刻が確認できる。
アラームセットスイッチＳＷ１がセットされると、トランジスタＴｒ３がオンしてＬＥＤ２が点灯するとともに、トランジスタＴｒ４、Ｔｒ５がオンする。このトランジスタＴｒ５のオンにより、暗時検出回路１の検出信号出力端子１ａは電池２の低電位側に接続され、常時“０”状態となる。よって、トランジスタＴｒ１はアラームセットスイッチＳＷ１がセットされている間オフとなり、ＬＥＤ１の点灯が禁止される。つまり、アラームセットスイッチＳＷ１がセットされると、周囲の明るさにかかわらずＬＥＤ２が点灯し、ＬＥＤ１が点灯しなくなる。よって、ＬＥＤ２の点灯によりアラームがセットされていることが確認できるとともに周囲が暗くても現在時刻の確認が行える。また、ＬＥＤ１とＬＥＤ２を同時に点灯することを禁止しているので省電力化が図れる。
上記では、ＬＥＤ１やＬＥＤ２を点灯させる際、継続的に点灯させる例を示したが、次にＬＥＤ１やＬＥＤ２を点灯させる際にそれらを間欠的に駆動して消費電流の低減を図る例を図３を参照して説明する。なお、同図において、図１と同一構成のものには同一符号を附してある。
同図において、１２は間欠パルス回路で間欠的にパルスを出力する。１３および１４はゲート回路、１５および１６は抵抗、Ｔｒ６およびＴｒ７はトランジスタである。なお、間欠パルス回路１２が出力する間欠パルスの周期は適宜設定可能である。トランジスタＴｒ１、Ｔｒ２、Ｔｒ３、Ｔｒ４、Ｔｒ５、Ｔｒ６、Ｔｒ７と抵抗３、４、５、６、７、８、９、１０、１５、１６とアラームセットスイッチＳＷ１と間欠パルス回路１２とゲート回路１３、１４とで照明制御回路２００を構成する。
次に、動作を説明する。
アラームセットスイッチＳＷ１がセットされていない場合、ゲート回路１３の出力が“１”となるので、トランジスタＴｒ３、Ｔｒ５はオフとなり、ＬＥＤ２は点灯せず、端子１４ａは電池２の低電位側と切断される。この状態で周囲の明るさが所定レベル以下になると、暗時検出回路１の検出信号出力端子１ａは“１”となり、トランジスタＴｒ７がオンして間欠パルス回路１２に電源が供給され間欠パルスを出力し始めるとともに、ゲート回路１４が開いて間欠パルス回路１２からの間欠パルスがゲート回路１４を通過し、間欠パルスが出力されている間トランジスタＴｒ１がオンするので、ＬＥＤ１が間欠パルス回路１２からの間欠パルスに応じて間欠的に点灯する。周囲が明るい場合はゲート回路１４が閉じるので、トランジスタＴｒ１がオフとなりＬＥＤ１は点灯しない。さらに、トランジスタＴｒ７がオフするので間欠パルス回路１２の動作が停止する。
アラームセットスイッチＳＷ１がセットされると、トランジスタＴｒ６がオンして間欠パルス回路１２に電源が供給され間欠パルスを出力し始め、ゲート回路１３が開くので、この間欠パルスが反転されて出力される。よって、間欠パルス回路１２からの間欠パルスが“１”のときトランジスタＴｒ３はオンとなり、ＬＥＤ２が点灯する。また、アラームセットスイッチＳＷ１のセットにより、トランジスタＴｒ５がオンするので、端子１４ａが電池２の低電位側と接続する。この状態で周囲が暗くなり暗時検出回路１が“１”を出力しても、その出力に応じてゲート回路１４が“１”を出力するときトランジスタＴｒ５がオンしているので、トランジスタＴｒ１はオフのままとなり、ＬＥＤ１は点灯しない。
このように、ＬＥＤ１やＬＥＤ２を点灯させる際にそれらを間欠的に駆動するので、上記の例に比べて消費電流を低減できる。つまり、消費電流が大きいという問題を解決できる。また、必要時だけしか間欠パルス回路１２を動作させないので、更なる低消費電流化が図れる。なお、上記の例ではＬＥＤ１とＬＥＤ２を両方とも間欠的に駆動するようにしたが、ＬＥＤ１とＬＥＤ２のいずれか一方のみを間欠駆動するようにしてもよい。この場合、ＬＥＤ１とＬＥＤ２のいずれが点灯しているのかを点灯状態により簡単に確認できるようになる。
なお、上記それぞれの例において、第１、第２の照明部としてＬＥＤを用いたがＬＥＤに限らず、ランプ等でもよく適宜変更可能である。
また、上記それぞれの例において、第１の照明部と第２の照明部との色を変えてもよい。この場合、発光色の違いにより第１の照明部と第２の照明部のいずれが点灯しているか判別できるので、第１の照明部が点灯しているのか第２の照明部が点灯しているのかわかりづらい場合が生じるという問題を解決できる。
【発明の効果】
本発明は、暗時検出回路の暗時検出に応じて時刻表示部を照明する第１の照明部を点灯させ、アラームがセットされた際に上記時刻表示部を照明する第２の照明部を点灯させるとともに上記第１の照明部の点灯を禁止する照明制御回路を含んでいるので、第２の照明部が点灯しているか否かによりアラームがセットされているかどうかを確認でき、アラームがセットされていなくても暗くなると第１の照明部が点灯するので、暗くても時刻を簡単に確認できる。
上記照明制御回路が上記第１の照明部および／または上記第２の照明部の点灯を間欠駆動させると、照明による消費電流を低減できる。
上記第１の照明部と第２の照明部を互いに異なる色で発光するようにすれば、第１の照明部が点灯しているのか第２の照明部が点灯しているのか簡単に判別できるようになる。
【図面の簡単な説明】
【図１】本発明の一実施例を示した回路図。
【図２】本発明の一実施例の正面図。
【図３】本発明の他の実施例を示した回路図。
【符号の説明】
１      暗時検出回路
１１ｃ    時刻表示部
１００      照明制御回路
２００      照明制御回路
ＬＥＤ１    第１の照明部
ＬＥＤ２    第２の照明部
【図１】
0004255172.tif 000002
【図２】
0004255172.tif 000003
【図３】
0004255172.tif 000004